(57)【要約】【課題】この発明は、ＨＤ ＤＶＤ−Video規格に準拠した光ディスクに記録されている映像コンテンツに対して、その方式を短時間で判別して再生可能か否かの判別を迅速に行なわせ、ユーザにとっての利便性を向上させるようにした映像コンテンツ再生装置及び映像コンテンツ再生方法を提供することを目的としている。【解決手段】ＡＤＶ＿ＯＢＪフォルダ下にＤＩＳＣＩＤ．ＤＡＴファイルが存在する光ディスク（１２）をアドバンスト規格対応であると判別し、その光ディスク（１２）に対して、ＨＤＤＶＤ＿ＴＳフォルダ下のＶＴＳＩファイル内に存在する方式識別情報（ＴＶsystem）を読み取って映像コンテンツの方式を判別し、その方式の映像コンテンツを映像コンテンツ再生装置（１１）が再生可能である場合に、アドバンスト規格対応の光ディスク（１２）に対する再生処理シーケンスを起動させる。【選択図】    図１
2009176387.tif 000002
【特許請求の範囲】
【請求項１】
ＨＤ ＤＶＤ−Video規格に準拠した形態で光ディスクに記録された映像コンテンツを再生する映像コンテンツ再生装置であって、
前記光ディスクに対して、ＡＤＶ＿ＯＢＪフォルダ下にＤＩＳＣＩＤ．ＤＡＴファイルが存在する場合に、当該光ディスクをアドバンスト規格対応の光ディスクであると判別する第１のディスク判別手段と、
前記第１のディスク判別手段によりアドバンスト規格対応であると判別された光ディスクに対して、ＨＤＤＶＤ＿ＴＳフォルダ下のＶＴＳＩファイル内に存在する主映像コンテンツの方式を示す識別情報を読み取って、映像コンテンツの方式を判別する第１の方式判別手段と、
前記第１の方式判別手段により判別された方式の映像コンテンツを、前記映像コンテンツ再生装置が再生可能である場合に、前記アドバンスト規格対応の光ディスクに対する再生処理シーケンスを起動させる第１の再生判別手段とを具備することを特徴とする映像コンテンツ再生装置。
【請求項２】
前記第１の方式判別手段は、前記ＨＤＤＶＤ＿ＴＳフォルダ下のＶＴＳＩファイルに存在するＶＴＳ＿ＥＶＯＢ＿ＡＴＲＴ内のＶＴＳ＿ＥＶＯＢ＿ＡＴＲからＥＶＯＢ＿ＶＭ＿ＡＴＲ内のＴＶsystemを読み取って、映像コンテンツの方式を判別することを特徴とする請求項１記載の映像コンテンツ再生装置。
【請求項３】
前記第１の再生判別手段は、前記第１の方式判別手段により判別された方式と、前記映像コンテンツ再生装置の仕様を示す情報とを比較して、その方式の映像コンテンツが再生可能か否かの判別を行なうことを特徴とする請求項１記載の映像コンテンツ再生装置。
【請求項４】
前記第１の再生判別手段は、前記第１の方式判別手段により判別された方式の映像コンテンツを前記映像コンテンツ再生装置が再生可能である場合に、プレイリストファイルの解析を行ない、前記第１の方式判別手段により判別された方式の映像コンテンツを前記映像コンテンツ再生装置が再生可能でない場合に、その旨を表示させるとともに、前記光ディスクの再生を停止させることを特徴とする請求項１記載の映像コンテンツ再生装置。
【請求項５】
前記第１のディスク判別手段によりアドバンスト規格対応でないと判別された光ディスクに対して、ＨＤＤＶＤ＿ＴＳフォルダ下にＶＭＧＩファイルが存在する場合に、当該光ディスクをスタンダード規格対応の光ディスクであると判別する第２のディスク判別手段と、
前記第２のディスク判別手段によりスタンダード規格対応であると判別された光ディスクに対して、ＨＤＤＶＤ＿ＴＳフォルダ下に存在する映像コンテンツの方式を示す識別情報を読み取って、映像コンテンツの方式を判別する第２の方式判別手段と、
前記第２の方式判別手段により判別された方式の映像信号を、前記映像コンテンツ再生装置が再生可能である場合に、前記スタンダード規格対応の光ディスクに対する再生処理シーケンスを起動させる第２の再生判別手段とを具備することを特徴とする請求項１記載の映像コンテンツ再生装置。
【請求項６】
前記第２の方式判別手段は、ＨＤＤＶＤ＿ＴＳフォルダ下のＶＴＳＩファイルに存在するＶＴＳＩ＿ＭＡＴ内のＶＴＳ＿Ｖ＿ＡＴＲからＴＶsystemを読み取って、映像コンテンツの方式を判別することを特徴とする請求項５記載の映像コンテンツ再生装置。
【請求項７】
前記第２の方式判別手段は、ＨＤＤＶＤ＿ＴＳフォルダ下のＶＭＧＩファイルに存在するＶＴＳ＿ＡＴＲＴ内のＶＴＳ＿ＡＴＲからＴＶsystemを読み取って、映像コンテンツの方式を判別することを特徴とする請求項５記載の映像コンテンツ再生装置。
【請求項８】
前記第２の再生判別手段は、前記第２の方式判別手段により判別された方式の映像コンテンツを前記映像コンテンツ再生装置が再生可能である場合に、FirstPlayＰＧＣの実行を行ない、前記第２の方式判別手段により判別された方式の映像コンテンツを前記映像コンテンツ再生装置が再生可能でない場合に、その旨を表示させるとともに、前記光ディスクの再生を停止させることを特徴とする請求項５記載の映像コンテンツ再生装置。
【請求項９】
ＨＤ ＤＶＤ−Video規格に準拠した形態で光ディスクに記録された映像コンテンツを再生する映像コンテンツ再生方法であって、
前記光ディスクに対して、ＡＤＶ＿ＯＢＪフォルダ下にＤＩＳＣＩＤ．ＤＡＴファイルが存在する場合に、当該光ディスクをアドバンスト規格対応の光ディスクであると判別する第１の工程と、
前記第１の工程によりアドバンスト規格対応であると判別された光ディスクに対して、ＨＤＤＶＤ＿ＴＳフォルダ下のＶＴＳＩファイル内に存在する主映像コンテンツの方式を示す識別情報を読み取って、映像コンテンツの方式を判別する第２の工程と、
前記第２の工程により判別された方式の映像コンテンツを、映像コンテンツ再生装置が再生可能である場合に、前記アドバンスト規格対応の光ディスクに対する再生処理シーケンスを起動させる第３の工程とを具備することを特徴とする映像コンテンツ再生方法。
【請求項１０】
前記第１の工程によりアドバンスト規格対応でないと判別された光ディスクに対して、ＨＤＤＶＤ＿ＴＳフォルダ下にＶＭＧＩファイルが存在する場合に、当該光ディスクをスタンダード規格対応の光ディスクであると判別する第４の工程と、
前記第４の工程によりスタンダード規格対応であると判別された光ディスクに対して、ＨＤＤＶＤ＿ＴＳフォルダ下に存在する映像コンテンツの方式を示す識別情報を読み取って、映像コンテンツの方式を判別する第５の工程と、
前記第５の工程により判別された方式の映像信号を、前記映像コンテンツ再生装置が再生可能である場合に、前記スタンダード規格対応の光ディスクに対する再生処理シーケンスを起動させる第６の工程とを具備することを特徴とする請求項９記載の映像コンテンツ再生方法。
【発明の詳細な説明】
【技術分野】
【０００１】
この発明は、入力された映像コンテンツの方式を自動判別する映像コンテンツ再生装置及び映像コンテンツ再生方法に関する。
【背景技術】
【０００２】
周知のように、近年では、デジタル記録媒体としてＤＶＤ（digital versatile disk）等の光ディスクが普及している。そして、現在では、ＤＶＤよりもさらに高密度記録が可能な、いわゆるＨＤ（high definition）−ＤＶＤと称されるハイビジョン対応の次世代ＤＶＤ規格としてＨＤ ＤＶＤ−Video規格も完成している。
【０００３】
このＨＤ ＤＶＤ−Video規格では、映像コンテンツを光ディスクに記録する際、ＮＴＳＣ（national television system committee）方式、ＰＡＬ（phase alternation by line）方式、ハイビジョン対応の映像を毎秒５０フレームで伝送する５０Ｈｚ方式、ハイビジョン対応の映像を毎秒６０フレームで伝送する６０Ｈｚ方式の、４種類の方式を採用することが規定されている。
【０００４】
また、ＨＤ ＤＶＤ−Video規格においては、現行のＤＶＤ−Video規格で規定されている映像や音声のコンテンツよりも、一層インタラクティブな機能を持つアドバンストコンテンツが定義されている。そして、ＨＤ ＤＶＤには、アドバンストコンテンツが記録されたアドバンスト規格と、アドバンストコンテンツ以外のスタンダードコンテンツが記録されたスタンダード規格とが存在し、アドバンスト規格とスタンダード規格とのそれぞれについて、映像コンテンツに上記した４種類の方式を採用することが規定されている。
【０００５】
このため、ＨＤ ＤＶＤを再生する光ディスク再生装置にあっては、光ディスクに記録されている映像コンテンツを再生する際、アドバンスト規格かスタンダード規格かを判別した上で、映像コンテンツの方式を判別し、その判別した方式の映像コンテンツの再生に対応するように内部設定を切り替えるようにしている。なお、光ディスク再生装置は、判別した方式の映像コンテンツを再生する機能を有していない場合、エラー表示を行なって再生を停止している。
【０００６】
ところで、この種の光ディスク再生装置にあっては、映像コンテンツの方式を判別する際に、光ディスクから全体の管理情報を読み取って再生すべきタイトルの管理情報を読み取り、その管理情報から映像コンテンツの方式を示す情報を取得するようにしている。このため、全体の管理情報の読み取り及び解析処理と、再生すべきタイトルの管理情報の読み取り及び解析処理とが必要となり、映像コンテンツの方式が判別されるまでに時間を要することになる。
【０００７】
これにより、光ディスク再生装置が、光ディスク１２に記録されている映像コンテンツを再生することが可能か不可能かの判別に時間を要することになり、ユーザにとっての取り扱いを不便なものにしている。
【０００８】
特許文献１には、装着されたＤＶＤの各種情報ファイルを読み取ることにより、そのＤＶＤが、ＮＴＳＣ方式の映像信号を記録したＮＴＳＣディスクか、ＰＡＬ方式の映像信号を記録したＰＡＬディスクかを判別し、いずれのディスクであっても、読み取った映像信号をユーザの設定した方式の映像信号に変換して出力することができるようにしたＤＶＤ再生装置の構成が開示されている。
【特許文献１】特開２００２−２９０８９８号公報
【発明の開示】
【発明が解決しようとする課題】
【０００９】
そこで、この発明は上記事情を考慮してなされたもので、ＨＤ ＤＶＤ−Video規格に準拠した光ディスクに記録されている映像コンテンツに対して、その方式を短時間で判別して再生可能か否かの判別を迅速に行なわせ、ユーザにとっての利便性を向上させるようにした映像コンテンツ再生装置及び映像コンテンツ再生方法を提供することを目的とする。
【課題を解決するための手段】
【００１０】
すなわち、この発明に係る映像コンテンツ再生装置は、ＨＤ ＤＶＤ−Video規格に準拠した形態で光ディスクに記録された映像コンテンツを再生するものを対象としている。そして、光ディスクに対して、ＡＤＶ＿ＯＢＪフォルダ下にＤＩＳＣＩＤ．ＤＡＴファイルが存在する場合に、当該光ディスクをアドバンスト規格対応の光ディスクであると判別する第１のディスク判別手段と、第１のディスク判別手段によりアドバンスト規格対応であると判別された光ディスクに対して、ＨＤＤＶＤ＿ＴＳフォルダ下のＶＴＳＩファイル内に存在する主映像コンテンツの方式を示す識別情報を読み取って、映像コンテンツの方式を判別する第１の方式判別手段と、第１の方式判別手段により判別された方式の映像コンテンツを、映像コンテンツ再生装置が再生可能である場合に、アドバンスト規格対応の光ディスクに対する再生処理シーケンスを起動させる第１の再生判別手段とを備えるようにしたものである。
【００１１】
また、この発明に係る映像コンテンツ再生方法は、ＨＤ ＤＶＤ−Video規格に準拠した形態で光ディスクに記録された映像コンテンツを再生する方法を対象としている。そして、光ディスクに対して、ＡＤＶ＿ＯＢＪフォルダ下にＤＩＳＣＩＤ．ＤＡＴファイルが存在する場合に、当該光ディスクをアドバンスト規格対応の光ディスクであると判別する第１の工程と、第１の工程によりアドバンスト規格対応であると判別された光ディスクに対して、ＨＤＤＶＤ＿ＴＳフォルダ下のＶＴＳＩファイル内に存在する主映像コンテンツの方式を示す識別情報を読み取って、映像コンテンツの方式を判別する第２の工程と、第２の工程により判別された方式の映像コンテンツを、映像コンテンツ再生装置が再生可能である場合に、アドバンスト規格対応の光ディスクに対する再生処理シーケンスを起動させる第３の工程とを備えるようにしたものである。
【発明の効果】
【００１２】
上記した発明によれば、光ディスクに対する通常の再生処理シーケンスを起動させる前に、光ディスクから識別情報を読み取って映像コンテンツの方式を判別するようにしたので、光ディスクに記録されている映像コンテンツの方式を短時間で判別して光ディスク再生装置で再生可能か否かの判別を迅速に行なうことができるようになり、ユーザにとっての利便性を向上させることが可能となる。
【発明を実施するための最良の形態】
【００１３】
以下、この発明の実施の形態について図面を参照して詳細に説明する。図１は、この実施の形態で説明する光ディスク再生装置１１の概略を示している。この光ディスク再生装置１１は、ＨＤ ＤＶＤ−Video規格に準拠した光ディスク１２を装着して、そこに記録されているコンテンツを読み取るディスクドライブ部１３を備えている。
【００１４】
このディスクドライブ部１３で読み取られたコンテンツは、データプロセッサ部１４を介して分離部１５に供給されることにより、主映像コンテンツ、副映像コンテンツ、グラフィックコンテンツ及び音声コンテンツに分離される。
【００１５】
このうち、主映像コンテンツ、副映像コンテンツ及びグラフィックコンテンツは、それぞれ対応する主映像デコーダ部１６、副映像デコーダ部１７及びグラフィックデコーダ部１８に供給されてデコード処理が施される。そして、各デコーダ部１６〜１８から出力されたコンテンツは、合成部１９に供給されて合成され、Ｄ／Ａ（digital／analog）変換部２０でアナログ化された後、映像出力端子２１を介して外部の映像表示器２２に導出され映像表示に供される。
【００１６】
また、上記分離部１５で分離された音声コンテンツは、音声デコーダ部２３に供給されてデコード処理が施され、Ｄ／Ａ変換部２４でアナログ化された後、音声出力端子２５を介して外部のスピーカ２６に導出され音声再生に供される。
【００１７】
ここで、この光ディスク再生装置１１は、上記した光ディスク１２の再生動作を含むその全ての動作を制御部２７によって統括的に制御されている。この制御部２７は、ＣＰＵ（central processing unit）２７ａを内蔵しており、キー入力部２８からの操作情報を受けて、その操作内容が反映されるように各部をそれぞれ制御している。
【００１８】
この場合、制御部２７は、主として、メモリ部２７ｂを利用している。そのメモリ部２７ｂは、ＣＰＵ２７ａが実行する制御プログラムを格納したＲＯＭ（read only memory）と、該ＣＰＵ２７ａに作業エリアを提供するＲＡＭ（random access memory）と、各種の設定情報及び制御情報等が格納される不揮発性メモリとを有している。
【００１９】
また、この制御部２７は、インターフェース部２９及び入出力端子３０を介して外部のネットワークに接続された所定のサーバ３１とデータ通信を行なえるようになっている。これにより、制御部２７は、サーバ３１にアクセスして、サーバ３１から所望のコンテンツやプログラム等を取得することができる。この場合、サーバ３１から取得したコンテンツは、データプロセッサ部１４に供給され、以下、上述した映像表示や音声再生に供されることになる。
【００２０】
さらに、上記制御部２７は、メディア判別部２７ｃ、方式判別部２７ｄ及びモード設定部２７ｅを有している。このうち、メディア判別部２７ｃは、ディスクドライブ部１３に光ディスク１２が装着されたとき、その光ディスク１２がアドバンスト規格に準拠しているかスタンダード規格に準拠しているかを判別している。
【００２１】
この場合、メディア判別部２７ｃは、光ディスク１２にＡＤＶ（advanced）＿ＯＢＪ（object）フォルダが存在し、そのＡＤＶ＿ＯＢＪフォルダ下にＤＩＳＣＩＤ．ＤＡＴファイルが存在する場合、その光ディスク１２をアドバンスト規格と判別する。また、メディア判別部２７ｃは、光ディスク１２にＡＤＶ＿ＯＢＪフォルダが存在しない場合、または、ＡＤＶ＿ＯＢＪフォルダ下にＤＩＳＣＩＤ．ＤＡＴファイルが存在しない場合、ＨＤＤＶＤ＿ＴＳフォルダ下にＨＶ０００Ｉ０１．ＩＦＯファイルが存在する場合に、その光ディスク１２をスタンダード規格と判別する。
【００２２】
また、上記方式判別部２７ｄは、詳細は後述するが、メディア判別部２７ｃによる、光ディスク１２がアドバンスト規格かスタンダード規格かの判別結果を踏まえた上で、光ディスク１２に記録されている映像コンテンツが、ＮＴＳＣ方式、ＰＡＬ方式、５０Ｈｚ方式及び６０Ｈｚ方式のいずれであるかを、光ディスク１２に対する通常の再生処理シーケンスが起動する前に判別している。
【００２３】
さらに、上記モード設定部２７ｅは、方式判別部２７ｄで判別された方式の映像コンテンツの再生に対応するように、光ディスク再生装置１１の内部設定を切り替えている。例えば、各デコーダ部１６〜１８の同期クロック周波数を、方式判別部２７ｄで判別された方式に対応する周波数に設定するようにしている。なお、モード設定部２７ｅは、光ディスク再生装置１１が方式判別部２７ｄで判別された方式の映像コンテンツを再生する機能を有していない場合には、映像表示器２２にエラー表示を行なわせて再生を停止するように制御している。
【００２４】
ここにおいて、上記方式判別部２７ｄによる映像コンテンツの方式判別処理について、具体的に説明する。まず、メディア判別部２７ｃにより光ディスク１２がアドバンスト規格であると判別された場合について説明する。アドバンスト規格の光ディスク１２には、図２に示すように、ＡＤＶ＿ＯＢＪフォルダとＨＤＤＶＤ＿ＴＳ（transport stream）フォルダとが存在している。
【００２５】
そして、ＡＤＶ＿ＯＢＪフォルダには、前述したようにＤＩＳＣＩＤ．ＤＡＴファイルが存在するとともに、プレイリストとなるＶＰＬＳＴ０００．ＸＰＬファイルが存在している。また、ＨＤＤＶＤ＿ＴＳフォルダには、映像に関する属性情報を示すＨＶＡ００００１．ＶＴＩファイルと、実映像情報となるＸＸＸＸＸＸＸＸ．ＥＶＯファイルと、各種情報の位置を示すＭＡＰファイルとが含まれている。
【００２６】
このうち、ＨＶＡ００００１．ＶＴＩファイルは、図３に示すように、ＶＴＳＩ（video title set information）であり、ＶＴＳＩ＿ＭＡＴ（management table）、ＶＴＳ＿ＥＶＯＢ（enhanced video object）＿ＡＴＲＴ（attribute table）、ＶＴＳ＿ＥＶＯＢＩＴ（enhanced video object information table）を記述している。
【００２７】
そして、上記ＶＴＳ＿ＥＶＯＢ＿ＡＴＲＴには、タイトル数分のＶＴＳ＿ＥＶＯＢ＿ＡＴＲ＿ＳＲＰ（search pointer）＃１〜＃ｎと、これらのＶＴＳ＿ＥＶＯＢ＿ＡＴＲ＿ＳＲＰ＃１〜＃ｎによって示される位置に、それぞれ各タイトルの実際の属性情報を記述したＶＴＳ＿ＥＶＯＢ＿ＡＴＲ＃１〜＃ｎとが含まれている。
【００２８】
ここで、１つのＶＴＳ＿ＥＶＯＢ＿ＡＴＲには、図４に示すように、ＥＶＯＢ＿ＴＹ、ＥＶＯＢ＿ＶＭ＿ＡＴＲ、ＥＶＯＢ＿ＶＳ＿ＡＴＲ、ＥＶＯＢ＿ＶＳ＿ＬＵＭＡ、ＥＶＯＢ＿ＡＭＳＴ＿Ｎｓ、ＥＶＯＢ＿ＡＭＳＴ＿ＡＴＲＴ、ＥＶＯＢ＿ＤＭ＿ＣＯＥＦＴＳ、ＥＶＯＢ＿ＡＳＳＴ＿Ｎｓ、ＥＶＯＢ＿ＡＳＳＴ＿ＡＴＲＴ、ＥＶＯＢ＿ＳＰＳＴ＿Ｎｓ、ＥＶＯＢ＿ＳＰＳＴ＿ＡＴＲＴ、ＥＶＯＢ＿ＳＤＳＰ＿ＰＬＴ、ＥＶＯＢ＿ＨＤＳＰ＿ＰＬＴ等が含まれている。
【００２９】
このうち、ＥＶＯＢ＿ＶＭ（main video）＿ＡＴＲには、図５に示すように、３ビット（ｂ２８〜ｂ２６）のＴＶ（television）system情報が記述されており、このＴＶsystem情報がアドバンスト規格における映像コンテンツの方式を示す識別情報となっている。すなわち、このＴＶsystem情報は、“０００ｂ（binary）”のときＮＳＴＣ方式を示し、“００１ｂ”のときＰＡＬ方式を示し、“０１０ｂ”のとき６０Ｈｚ方式を示し、“０１１ｂ”のとき５０Ｈｚ方式を示している。
【００３０】
このため、上記方式判別部２７ｄは、メディア判別部２７ｃにより光ディスク１２がアドバンスト規格であると判別されている場合、ＨＤＤＶＤ＿ＴＳフォルダ下のＨＶＡ００００１．ＶＴＩファイル（ＶＴＳＩ）を読み込み、その１番目のＶＴＳ＿ＥＶＯＢ＿ＡＴＲ＃１のＥＶＯＢ＿ＶＭ＿ＡＴＲから映像コンテンツの方式を判別し、その判別結果を上記モード設定部２７ｅに出力する。
【００３１】
なお、他のＶＴＳ＿ＥＶＯＢ＿ＡＴＲ＃２〜＃ｎのＥＶＯＢ＿ＶＭ＿ＡＴＲには、ＶＴＳ＿ＥＶＯＢ＿ＡＴＲ＃１のＥＶＯＢ＿ＶＭ＿ＡＴＲと同じＴＶsystem情報が記述されている。このため、映像コンテンツの方式を判別するためには、１つのＶＴＳ＿ＥＶＯＢ＿ＡＴＲ＃１のＥＶＯＢ＿ＶＭ＿ＡＴＲから、そのＴＶsystem情報を読み取るだけでよいことになる。
【００３２】
一方、上記メディア判別部２７ｃにより光ディスク１２がスタンダード規格であると判別された場合について説明する。スタンダード規格の光ディスク１２には、図６に示すように、ＨＤＤＶＤ＿ＴＳフォルダが存在している。
【００３３】
そして、このＨＤＤＶＤ＿ＴＳフォルダには、光ディスク１２の全体の管理情報を示すＨＶ０００Ｉ０１．ＩＦＯファイルと、光ディスク１２に記録されている映像コンテンツ全体の管理情報を示すＨＶ０００Ｍ０２．ＥＶＯファイルと、それらをバックアップするＨＶ０００Ｉ０１．ＢＵＰファイルとが含まれている。
【００３４】
また、このＨＤＤＶＤ＿ＴＳフォルダには、タイトル数分存在し、タイトル毎の映像に関する属性情報を示すＨＶ００１Ｉ０１．ＩＦＯファイルと、タイトル数分存在し、タイトル毎の実映像情報となるＨＶ００１Ｔ０１．ＥＶＯファイルと、それらをバックアップするＨＶ００１Ｉ０１．ＢＵＰファイルとが含まれている。
【００３５】
このうち、１つのＨＶ００１Ｉ０１．ＩＦＯファイルは、図７に示すように、ＶＴＳＩ＃１であり、ＶＴＳＩ＿ＭＡＴ、ＶＴＳ＿ＰＴＴ（part of title）＿ＳＲＰＴ（search pointer table）、ＶＴＳ＿ＰＧＣＩＴ（program chain information table）、ＶＴＳＭ（video title set menu）＿ＰＧＣＩ＿ＵＴ（unit table）、ＶＴＳ＿ＴＭＡＰＴ（time map table）、ＶＴＳＭ＿Ｃ（cell）＿ＡＤＴ（address table）、ＶＴＳＭ＿ＥＶＯＢＵ（enhanced video object unit）＿ＡＤＭＡＰ（address map）、ＶＴＳ＿Ｃ＿ＡＤＴ、ＶＴＳ＿ＥＶＯＢＵ＿ＡＤＭＡＰを記述している。
【００３６】
そして、ＶＴＳＩ＿ＭＡＴには、図８に示すように、ＶＴＳ＿ＩＤ、ＶＴＳ＿ＥＡ、ＶＴＳＩ＿ＥＡ、ＶＥＲＮ、ＶＴＳ＿ＣＡＴ、ＶＴＳＩ＿ＭＡＴ＿ＥＡ、ＶＴＳＭ＿ＥＶＯＢＳ＿ＳＡ、ＶＴＳＴＴ＿ＥＶＯＢＳ＿ＳＡ、ＶＴＳ＿ＰＴＴ＿ＳＲＰＴ＿ＳＡ、ＶＴＳ＿ＰＧＣＩＴ＿ＳＡ、ＶＴＳＭ＿ＰＧＣＩ＿ＵＴ＿ＳＡ、ＶＴＳ＿ＴＭＡＰＴ＿ＳＡ、ＶＴＳＭ＿Ｃ＿ＡＤＴ＿ＳＡ、ＶＴＳＭ＿ＥＶＯＢＵ＿ＡＤＭＡＰ＿ＳＡ、ＶＴＳ＿Ｃ＿ＡＤＴ＿ＳＡ、ＶＴＳ＿ＥＶＯＢＵ＿ＡＤＭＡＰ＿ＳＡ、ＶＴＳＭ＿ＡＧＬ＿Ｎｓ、ＶＴＳＭ＿Ｖ＿ＡＴＲ、ＶＴＳＭ＿ＡＳＴ＿Ｎｓ、ＶＴＳＭ＿ＡＳＴ＿ＡＴＲＴ、ＶＴＳＭ＿ＳＰＳＴ＿Ｎｓ、ＶＴＳＭ＿ＳＰＳＴ＿ＡＴＲＴ、ＶＴＳ＿Ｖ＿ＡＴＲ、ＶＴＳ＿ＡＳＴ＿Ｎｓ、ＶＴＳ＿ＡＳＴ＿ＡＴＲＴ、ＶＴＳ＿ＳＰＳＴ＿Ｎｓ、ＶＴＳ＿ＳＰＳＴ＿ＡＴＲＴ、ＶＴＳ＿ＤＭ＿ＣＯＥＦＴ＃０〜＃１５等が含まれている。
【００３７】
このうち、ＶＴＳ＿Ｖ（video）＿ＡＴＲには、図９に示すように、３ビット（ｂ２８〜ｂ２６）のＴＶsystem情報が記述されており、このＴＶsystem情報がスタンダード規格における映像コンテンツの方式を示す識別情報となっている。すなわち、このＴＶsystem情報は、“０００ｂ”のときＮＳＴＣ方式を示し、“００１ｂ”のときＰＡＬ方式を示し、“０１０ｂ”のとき６０Ｈｚ方式を示し、“０１１ｂ”のとき５０Ｈｚ方式を示している。
【００３８】
このため、上記方式判別部２７ｄは、メディア判別部２７ｃにより光ディスク１２がスタンダード規格であると判別されている場合、ＨＤＤＶＤ＿ＴＳフォルダ下の１番目のＨＶ００１Ｉ０１．ＩＦＯファイル（ＶＴＳＩ＃１ファイル）を読み込み、そのＶＴＳＩ＿ＭＡＴのＶＴＳ＿Ｖ＿ＡＴＲから映像コンテンツの方式を判別し、その判別結果を上記モード設定部２７ｅに出力する。
【００３９】
なお、ＶＴＳＩ＃１ファイル以外のＨＶ００１Ｉ０１．ＩＦＯファイルにも、ＶＴＳＩ＃１と同じＴＶsystem情報が記述されている。このため、映像コンテンツの方式を判別するためには、１つのＨＶ００１Ｉ０１．ＩＦＯファイル（ＶＴＳＩ＃１ファイル）から、そのＴＶsystem情報を読み取るだけでよいことになる。
【００４０】
また、スタンダード規格の光ディスク１２において、映像コンテンツの方式を判別するためには、上記したように、ＨＤＤＶＤ＿ＴＳフォルダ下のＨＶ００１Ｉ０１．ＩＦＯファイル（ＶＴＳＩ＃１）からＶＴＳＩ＿ＭＡＴを読み込み、そのＶＴＳ＿Ｖ＿ＡＴＲ内のＴＶsystem情報を取得する手段の他に、次のような手法もある。
【００４１】
すなわち、ＨＤＤＶＤ＿ＴＳフォルダ下に存在する上記ＨＶ０００Ｉ０１．ＩＦＯファイルは、図１０に示すように、ＶＭＧＩ（video manager information）ファイルであり、ＶＭＧＩ＿ＭＡＴ、ＴＴ＿ＳＲＰＴ、ＶＭＧＭ＿ＰＧＣＩ＿ＵＴ、ＰＬＴ＿ＭＡＩＴ、ＶＴＳ＿ＡＴＲＴ等を記述している。
【００４２】
そして、上記ＶＴＳ＿ＡＴＲＴには、タイトル数分のＶＴＳ＿ＡＴＲ＿ＳＲＰ＃１〜＃ｎと、これらのＶＴＳ＿ＡＴＲ＿ＳＲＰ＃１〜＃ｎによって示される位置に、それぞれ各タイトルの実際の属性情報を記述したＶＴＳ＿ＡＴＲ＃１〜＃ｎとが含まれている。このうち、１つのＶＴＳ＿ＡＴＲ＃１には、図９に示したように、３ビットのＴＶsystem情報が記述されており、このＴＶsystem情報によってもスタンダード規格における映像コンテンツの方式を判別することが可能となっている。
【００４３】
このため、上記方式判別部２７ｄは、メディア判別部２７ｃにより光ディスク１２がスタンダード規格であると判別されている場合、ＨＤＤＶＤ＿ＴＳフォルダ下のＨＶ０００Ｉ０１．ＩＦＯファイル（ＶＭＧＩファイル）を読み込み、そのＶＴＳ＿ＡＴＲ＃１から映像コンテンツの方式を判別して、その判別結果を上記モード設定部２７ｅに出力するようにすることもできる。
【００４４】
なお、ＶＴＳ＿ＡＴＲ＃１以外のＶＴＳ＿ＡＴＲ＃２〜＃ｎにも、ＶＴＳ＿ＡＴＲ＃１と同じＴＶsystem情報が記述されている。このため、映像コンテンツの方式を判別するためには、１つのＶＴＳ＿ＡＴＲ＃１からそのＴＶsystem情報を読み取るだけでよいことになる。
【００４５】
上記のようにして方式判別部２７ｄにより光ディスク１２に記録されている映像コンテンツの方式が判別されると、上記モード設定部２７ｅは、光ディスク再生装置１１が方式判別部２７ｄで判別された方式の映像コンテンツを再生する機能を有している場合、その方式の映像コンテンツの再生に対応するように、光ディスク再生装置１１の内部設定を切り替える。
【００４６】
その後、制御部２７は、光ディスク１２に対する通常の再生処理シーケンスを起動させる。つまり、光ディスク１２から全体の管理情報や再生すべきタイトルの管理情報等の読み取りを行ない、プレイリスト等に基づいてタイトルを再生する通常の再生処理を実行する。
【００４７】
また、モード設定部２７ｅは、光ディスク再生装置１１が方式判別部２７ｄで判別された方式の映像コンテンツを再生する機能を有していない場合には、映像表示器２２にエラー表示を行なわせて再生を停止するように制御している。
【００４８】
上記した実施の形態によれば、光ディスク１２に対する通常の再生処理シーケンスを起動させる前に、光ディスク１２からＴＶsystem情報を読み取って映像コンテンツの方式を判別するようにしたので、光ディスク１２に記録されている映像コンテンツの方式を短時間で判別して光ディスク再生装置１１で再生可能か否かの判別を迅速に行なうことができるようになり、ユーザにとっての利便性を向上させることが可能となる。
【００４９】
図１１及び図１２は、上記した光ディスク装置１１の制御部２７が行なう主要な処理動作をまとめたフローチャートを示している。すなわち、この処理は、光ディスク１２がディスクドライブ部１３に装着されることにより開始（ステップＳ１）される。すると、制御部２７は、ステップＳ２で、ディスクドライブ部１３に対して光ディスク１２からデータの読み取りを行なわせるように制御し、ステップＳ３で、光ディスク１２にＡＤＶ＿ＯＢＪフォルダが存在し、そのＡＤＶ＿ＯＢＪフォルダ下にＤＩＳＣＩＤ．ＤＡＴファイルが存在するか否かを判別する。
【００５０】
そして、ＡＤＶ＿ＯＢＪフォルダ下にＤＩＳＣＩＤ．ＤＡＴファイルが存在すると判断された場合（ＹＥＳ）、制御部２７は、光ディスク１２がアドバンスト規格に対応していると判断し、ステップＳ４で、ＨＤＤＶＤ＿ＴＳフォルダ下のＨＶＡ００００１．ＶＴＩファイル（ＶＴＳＩ）を読み込み、ステップＳ５で、そのＶＴＳ＿ＥＶＯＢ＿ＡＴＲＴの中の１番目のＶＴＳ＿ＥＶＯＢ＿ＡＴＲ＃１のＥＶＯＢ＿ＶＭ＿ＡＴＲからＴＶsystem情報を取得して、映像コンテンツの方式を判別する。
【００５１】
その後、制御部２７は、ステップＳ６で、先に判別された方式と、上記メモリ部２７ｂの不揮発性メモリ等に記録されている光ディスク再生装置１１の仕様とを比較して、その方式の映像コンテンツを光ディスク再生装置１１が再生する機能を有しているか否かを判別する。
【００５２】
そして、再生可能であると判断された場合（ＹＥＳ）、制御部２７は、ステップＳ７で、アドバンスト規格の光ディスク１２に対する通常の再生処理シーケンス［ＡＤＶ＿ＯＢＪフォルダ下のＶＰＬＳＴ０００．ＸＰＬファイル（プレイリストファイル）の解析等］を実行し、処理を終了（ステップＳ８）する。
【００５３】
また、上記ステップＳ６で光ディスク再生装置１１が映像コンテンツを再生不可能であると判断された場合（ＮＯ）、制御部２７は、ステップＳ９で、映像表示器２２にエラー表示を行なわせるとともに、光ディスク１２の再生を停止させて、処理を終了（ステップＳ８）する。
【００５４】
一方、上記ステップＳ３で光ディスク１２にＡＤＶ＿ＯＢＪフォルダが存在しない、または、ＡＤＶ＿ＯＢＪフォルダ下にＤＩＳＣＩＤ．ＤＡＴファイルが存在しないと判断された場合（ＮＯ）、制御部２７は、ステップＳ１０で、ＨＤＤＶＤ＿ＴＳフォルダ下にＨＶ０００Ｉ０１．ＩＦＯファイル（ＶＭＧＩファイル）が存在しているか否かを判別し、存在していると判断された場合（ＹＥＳ）、光ディスク１２がスタンダード規格に対応していると判断する。
【００５５】
すると、制御部２７は、ステップＳ１１で、ＨＤＤＶＤ＿ＴＳフォルダ下の１番目のＨＶ００１Ｉ０１．ＩＦＯファイル（ＶＴＳＩ＃１ファイル）を読み込み、そのＶＴＳＩ＿ＭＡＴのＶＴＳ＿Ｖ＿ＡＴＲからＴＶsystem情報を取得して映像コンテンツの方式を判別するか、または、ＨＤＤＶＤ＿ＴＳフォルダ下のＨＶ０００Ｉ０１．ＩＦＯファイル（ＶＭＧＩファイル）を読み込み、そのＶＴＳ＿ＡＴＲ＃１からＴＶsystem情報を取得して映像コンテンツの方式を判別する。
【００５６】
その後、制御部２７は、ステップＳ１２で、先に判別された方式と、上記メモリ部２７ｂの不揮発性メモリ等に記録されている光ディスク再生装置１１の仕様とを比較して、その方式の映像コンテンツを光ディスク再生装置１１が再生する機能を有しているか否かを判別する。
【００５７】
そして、再生可能であると判断された場合（ＹＥＳ）、制御部２７は、ステップＳ１３で、スタンダード規格の光ディスク１２に対する通常の再生処理シーケンス（FirstPlayＰＧＣファイルの処理等）を実行し、処理を終了（ステップＳ８）する。
【００５８】
また、上記ステップＳ１２で光ディスク再生装置１１が映像コンテンツを再生不可能であると判断された場合（ＮＯ）、制御部２７は、上記ステップＳ９で、映像表示器２２にエラー表示を行なわせるとともに、光ディスク１２の再生を停止させて、処理を終了（ステップＳ８）する。
【００５９】
さらに、上記ステップＳ１０でＨＤＤＶＤ＿ＴＳフォルダ下にＨＶ０００Ｉ０１．ＩＦＯファイル（ＶＭＧＩファイル）が存在していないと判断された場合（ＮＯ）、制御部２７は、ステップＳ１４で、他のメディア、例えば上記サーバ３１から取得したコンテンツの再生処理を実行して、処理を終了（ステップＳ８）する。
【００６０】
ここで、光ディスク再生装置１１がＮＴＳＣ（６０Ｈｚ）方式の映像コンテンツの再生専用モデルである場合には、判別した方式が６０ｆｐｓに対応していればそのまま映像コンテンツを再生することができ、判別した方式が５０ｆｐｓに対応していればエラー表示を行ない再生停止となる。
【００６１】
また、光ディスク再生装置１１がＰＡＬ（５０Ｈｚ）方式の映像コンテンツの再生専用モデルである場合には、判別した方式が５０ｆｐｓに対応していればそのまま映像コンテンツを再生することができ、判別した方式が６０ｆｐｓに対応していればエラー表示を行ない再生停止となる。
【００６２】
さらに、光ディスク再生装置１１がＮＴＳＣ（６０Ｈｚ）方式及びＰＡＬ（５０Ｈｚ）方式の両方の方式の映像コンテンツの再生に対応したモデルである場合には、判別した方式が６０ｆｐｓに対応していれば同期周波数を６０Ｈｚに設定して映像コンテンツを再生することができ、判別した方式が５０ｆｐｓに対応していれば同期周波数を５０Ｈｚに設定して映像コンテンツを再生することができる。
【００６３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６４】
【図１】この発明の実施の形態を示すもので、光ディスク再生装置の概略を説明するために示すブロック構成図。
【図２】同実施の形態における光ディスク再生装置が再生するアドバンスト規格の光ディスクを説明するために示す図。
【図３】同実施の形態におけるアドバンスト規格の光ディスクのＶＴＳ＿ＥＶＯＢ＿ＡＴＲＴを説明するために示す図。
【図４】同実施の形態におけるＶＴＳ＿ＥＶＯＢ＿ＡＴＲＴ内のＶＴＳ＿ＥＶＯＢ＿ＡＴＲを説明するために示す図。
【図５】同実施の形態におけるＶＴＳ＿ＥＶＯＢ＿ＡＴＲ内のＥＶＯＢ＿ＶＭ＿ＡＴＲを説明するために示す図。
【図６】同実施の形態における光ディスク再生装置が再生するスタンダード規格の光ディスクを説明するために示す図。
【図７】同実施の形態におけるスタンダード規格の光ディスクのＶＴＳＩを説明するために示す図。
【図８】同実施の形態におけるＶＴＳＩ内のＶＴＳＩ＿ＭＡＴを説明するために示す図。
【図９】同実施の形態におけるＶＴＳＩ＿ＭＡＴ内のＶＴＳ＿Ｖ＿ＡＴＲを説明するために示す図。
【図１０】同実施の形態におけるスタンダード規格の光ディスクのＶＭＧＩを説明するために示す図。
【図１１】同実施の形態における光ディスク再生装置が実行する主要な処理動作の一部を説明するために示すフローチャート。
【図１２】同実施の形態における光ディスク再生装置が実行する主要な処理動作の残部を説明するために示すフローチャート。
【符号の説明】
【００６５】
１１…光ディスク再生装置、１２…光ディスク、１３…ディスクドライブ部、１４…データプロセッサ部、１５…分離部、１６…主映像デコーダ部、１７…副映像デコーダ部、１８…グラフィックデコーダ部、１９…合成部、２０…Ｄ／Ａ変換部、２１…映像出力端子、２２…映像表示器、２３…音声デコーダ部、２４…Ｄ／Ａ変換部、２５…音声出力端子、２６…スピーカ、２７…制御部、２７ａ…ＣＰＵ、２７ｂ…メモリ部、２７ｃ…メディア判別部、２７ｄ…方式判別部、２７ｅ…モード設定部、２８…キー入力部、２９…インターフェース部、３０…入出力端子、３１…サーバ。
【図１】
2009176387.tif 000003
【図２】
2009176387.tif 000004
【図３】
2009176387.tif 000005
【図４】
2009176387.tif 000006
【図５】
2009176387.tif 000007
【図６】
2009176387.tif 000008
【図７】
2009176387.tif 000009
【図８】
2009176387.tif 000010
【図９】
2009176387.tif 000011
【図１０】
2009176387.tif 000012
【図１１】
2009176387.tif 000013
【図１２】
2009176387.tif 000014